(57)【要約】【課題】隣接するパネル同士を簡単に体裁よく接続する。【解決手段】パネル接続具１２０は、隣接するパネル１１０の側端部同士を接続するものであって、接続される一方のパネル１１１の側端部１１７に取り付けられる接続具本体１２１と、接続される他方のパネル１１２の側端部１１８に取り付けられる係止部材１４０と、を備え、接続具本体１２１は、一方のパネル１１１の側端部１１７と他方のパネル１１２の側端部１１８との間に所定の間隔を設ける隙間形成片部１２２を有し、隙間形成片部１２２は、他方のパネル１１２の側端部１１８における裏面１１４よりも裏方向に位置する係止受け部１２３を有し、係止部材１４０は、その先端部分に係止受け部１２３と係合される係止部１４１を有している。【選択図】図２
2020180439.tif 000002
【特許請求の範囲】
【請求項１】
隣接するパネルの側端部同士を接続するパネル接続具であって、
接続される一方のパネルの側端部に取り付けられる接続具本体と、接続される他方のパネルの側端部に取り付けられる係止部材と、を備え、
前記接続具本体は、前記一方のパネルの側端部と前記他方のパネルの側端部との間に所定の間隔を設ける隙間形成片部を有し、
前記隙間形成片部は、前記他方のパネルの側端部における裏面よりも裏方向に位置する係止受け部を有し、
前記係止部材は、その先端部分に前記係止受け部と係合される係止部を有していることを特徴とするパネル接続具。
【請求項２】
前記接続具本体は、前記一方のパネルの側端部の裏面に固着される取り付け片部と、前記取り付け片部の先端から表方向、外方向、裏方向へと折り曲げ延設された断面Ｕ字状の前記隙間形成片部と、を有し、
前記隙間形成片部は、前記取り付け片部の先端から表方向へと折り曲げ延設された内側片と、この内側片の先端から外方向へと折り曲げ延設された底片と、この底片の先端から裏方向へと折り曲げ延設された外側片と、で構成され、
前記外側片の裏方向端部が前記他方のパネルの側端部における裏面よりも裏方向に延設されて、この延設部分に前記係止受け部が形成されており、
前記係止部材は、前記他方のパネルの側端部の裏面に固着される固定片部と、前記固定片部の先端に延設された前記係止部と、を有していることを特徴とする請求項１記載のパネル接続具。
【請求項３】
前記隙間形成片部の前記底片は、前記パネルの厚さ範囲内に位置することを特徴とする請求項２記載のパネル接続具。
【請求項４】
前記外側片の前記延設部分に、前記係止部が挿入される挿入孔が前記係止受け部として形成されていることを特徴とする請求項２又は３記載のパネル接続具。
【請求項５】
前記係止部は、前記他方のパネルの側端部の辺に沿って複数が間隔をあけて配置されてあり、
前記挿入孔は、前記係止部に対応して複数形成されていることを特徴とする請求項４記載のパネル接続具。
【請求項６】
前記外側片の前記延設部分の先端に、外方向へと折り曲げ延設されて前記係止部材の裏側に配置されるカバー片が形成されていることを特徴とする請求項４又は５記載のパネル接続具。
【請求項７】
前記外側片の前記延設部分に、外方向へと突出して前記他方のパネルの側端部の裏面に沿う係止受け片が前記係止受け部として形成されており、
前記係止部材は、前記他方のパネルの側端部の裏面に固着される前記固定片部と、前記固定片部の先端側に折り曲げ段部を介し延設されて、前記他方のパネルの側端部における裏面との間に、前記係止受け片が挿入係止される間隙を形成する前記係止部と、を有することを特徴とする請求項２又は３記載のパネル接続具。
【請求項８】
前記外側片の前記延設部分に、裏方向へと延出して前記係止部の先端が対向するストッパー片が形成されていることを特徴とする請求項７記載のパネル接続具。
【請求項９】
請求項１〜８のいずれか一項記載のパネル接続具により、前記一方のパネルの側端部と
前記他方のパネルの側端部とが接続されるパネル接続構造であって、
前記パネルは、別途の固定具によって躯体下地に取り付けられるものであり、
前記接続具本体が前記一方のパネルの側端部に取り付けられ、前記係止部材が前記他方のパネルの側端部に取り付けられて、前記係止部と前記係止受け部とが係合されるものであることを特徴とするパネル接続構造。
【発明の詳細な説明】
【技術分野】
【０００１】
本発明は、パネル同士を接続するパネル接続具及びこれを用いたパネル接続構造に関する。
【背景技術】
【０００２】
従来、一方のパネルに、その側端面に沿って表面側に延出した先端側の裏面が凹状となる雌型連結溝を有した冶具を取着し、隣接する他方のパネルに、その側端面に沿って表面側に延出した先端側が雌型連結溝に嵌合する雄型連結溝を有する冶具を取着し、隣接するパネル間の隙間を埋めている。
【先行技術文献】
【特許文献】
【０００３】
【特許文献１】実開昭６０−９９６１７号公報
【発明の概要】
【発明が解決しようとする課題】
【０００４】
ところで、上記の構造を用いて隣接するパネル同士を接続する場合、隣接するパネルを表裏方向から嵌合させる必要がある。つまり、下地に取り付けされた一方のパネルに対して、他方のパネルを一方のパネル側にスライドさせてから表面側に移動させる必要があり、パネル間の接続に手間がかかった。
【０００５】
本発明は、このような課題に鑑みてなされたものであり、隣接するパネル同士を簡単に体裁よく接続することができるパネル接続具及びこれを用いたパネル接続構造を提供することを目的とする。
【課題を解決するための手段】
【０００６】
本発明の一様態に係るパネル接続具は、隣接するパネルの側端部同士を接続するものであって、接続される一方のパネルの側端部に取り付けられる接続具本体と、接続される他方のパネルの側端部に取り付けられる係止部材と、を備え、接続具本体は、一方のパネルの側端部と他方のパネルの側端部との間に所定の間隔を設ける隙間形成片部を有し、隙間形成片部は、他方のパネルの側端部における裏面よりも裏方向に位置する係止受け部を有し、係止部材は、その先端部分に係止受け部と係合される係止部を有している。
【０００７】
また、本発明の一様態に係るパネル接続構造は、パネル接続具により、一方のパネルの側端部と他方のパネルの側端部とが接続されてあって、パネルは、別途の固定具によって躯体下地に取り付けられるものであり、接続具本体が一方のパネルの側端部に取り付けられ、係止部材が他方のパネルの側端部に取り付けられて、係止部と係止受け部とが係合される。
【発明の効果】
【０００８】
本発明のパネル接続具及びこれを用いたパネル接続構造は、隣接するパネル同士を簡単に体裁よく接続することができる。
【図面の簡単な説明】
【０００９】
【図１】実施の形態１に係るパネルが設置される吊り天井の斜視図である。
【図２】実施の形態１に係るパネル接続具の分解斜視図である。
【図３】実施の形態１に係るパネル接続具を側面から見た説明図である。
【図４】実施の形態１に係るパネル接続具を用いてパネルを接続し、かつ、躯体下地に取り付けた状態を示す説明図である。
【図５】実施の形態２に係るパネル接続具の分解斜視図である。
【図６】実施の形態２に係るパネル接続具を側面から見た説明図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。
【００１２】
また、各図において、実質的に同一の構成に対しては同一の符号を付しており、重複する説明は省略または簡略化される場合がある。
（実施の形態１）
図１は、実施の形態１に係るパネル１１０が設置される吊り天井１００の斜視図である。
【００１３】
図１に示すように、吊り天井１００は、野縁１０１と、野縁受け１０２と、吊り部材１０３と、パネル１１０とを備えている。
【００１４】
野縁１０１は、例えば、断面Ｕ字状に形成された溝形鋼（チャンネル）であり、水平に延設され、且つ、幅方向に所定の間隔をあけ、平行に複数配設されている。
【００１５】
野縁受け１０２は、例えば、断面Ｕ字状に形成された溝形鋼（チャンネル）であり、野縁１０１と交差するように複数配設され、複数の野縁１０１を保持する。
【００１６】
吊り部材１０３は、円柱棒状に形成されてあり、一方の端部を上部構造（建物躯体）に固着して垂下され、他方の端部を野縁受け１０２に接続している。この吊り部材１０３は、各野縁受け１０２の延設方向に沿って複数本並設されている。
【００１７】
本明細書においては、野縁１０１と野縁受け１０２を合わせて躯体下地と定義する。なお、躯体下地は、これに限らず、パネル１１０が直接取着される部材を含む構成であればよく、前述の野縁１０１と野縁受け１０２とに吊り部材１０３を加えてよいし、躯体に直接パネル１１０が取着されるなら、躯体自体が躯体下地であってもよい。
【００１８】
本実施の形態のパネル１１０は、例えば、合成樹脂発泡材や無機質材などで構成されてあって、平面視矩形状に形成されている。なお、パネル１１０は、必ずしも矩形とは限らず、正方形であってもよい。
【００１９】
パネル１１０の裏面において、パネル１１０の一方の対向する２つの側端部は、野縁１０１にビス留めすることで躯体下地に取り付けられ、パネル１１０の他方の対向する２つの側端部は、後述するパネル接続具（図２に示す１２０）によって、隣接するパネル１１０と接続されている。そして、これらのパネル１１０によって、天井面が形成されている。
【００２０】
ここで、本実施の形態では、特に断りのない限り、パネル１１０を吊り天井１００に取
り付けた状態で、パネル１１０の裏面（図２に示す１１３、１１４）方向を裏方向、パネル１１０の表面（図２に示す１１５、１１６）方向を表方向とする。図３は、実施の形態１に係るパネル接続具１２０を側面から見た説明図である。図３における紙面の手前側から奥側を前後方向と呼ぶ。また、パネル１１０の他方の対向する２つの側端部（図２に示す１１７、１１８）方向（つまりパネル接続具１２０で接続される方向）を左右方向とする。
【００２１】
図２は、実施の形態１に係るパネル接続具１２０の分解斜視図である。
【００２２】
図２に示すように、パネル接続具１２０は、隣接するパネル１１０の側端部１１７、１１８同士を接続するものであって、接続される一方のパネル１１１の側端部１１７に取り付けられる接続具本体１２１と、接続される他方のパネル１１２の側端部１１８に取り付けられる係止部材１４０とを備えている。
【００２３】
接続具本体１２１は、一方のパネル１１１の側端部１１７と他方のパネル１１２の側端部１１８との間に所定の間隔を設ける隙間形成片部１２２を有し、隙間形成片部１２２は、他方のパネル１１２の側端部１１８における裏面１１４よりも裏方向に位置する係止受け部１２３を有し、係止部材１４０は、その先端部分に係止受け部１２３と係合される係止部１４１を有している。
【００２４】
接続具本体１２１は、側面視略逆ハット状に形成されており、取り付け片部１２４と、隙間形成片部１２２と、係止受け部１２３とを備えている。接続具本体１２１の材質は、不燃材料である金属で形成されてあってもよいし、セラミック、合成樹脂であってもよく、特に限定されることはない。
【００２５】
接続具本体１２１の前後方向の長さは、パネル１１０（１１１、１１２）の前後方向の長さと略同じ長さになるように形成されている。
【００２６】
取り付け片部１２４は、平面視略矩形状に形成されて、一方のパネル１１１の側端部１１７の裏面１１３に固着されている。
【００２７】
取り付け片部１２４は、例えば、一方のパネル１１１の裏面１１３と接触する範囲内に接着剤が塗布されて、一方のパネル１１１と固着されてあってもよい。また、取り付け片部１２４は、１つまたは複数のネジ孔が形成されてあって、その１つまたは複数のネジ孔にそれぞれネジが挿入されて、一方のパネル１１１と固着されてあってもよく、取り付け片部１２４の固着方法は特に限定されることはない。
【００２８】
隙間形成片部１２２は、取り付け片部１２４の他方のパネル１１２側の先端から表方向、外方向、裏方向へと折り曲げて延設され、断面Ｕ字状に形成されている。
【００２９】
つまり、接続具本体１２１は、取り付け片部１２４と隙間形成片部１２２が繋がって１つの部材として形成されている。
【００３０】
そのため、製造が容易になり、コストを抑制することができる。
【００３１】
隙間形成片部１２２は、内側片１２５と、底片１２６と、外側片１２７とを備えている。
【００３２】
内側片１２５は、側面視略矩形状であって、取り付け片部１２４における他方のパネル１１２側の先端から、一方のパネル１１１の側面に沿って表方向へ延設されている。
【００３３】
内側片１２５は、先端が尖った突起状のものが形成されており、その突起状のものが一方のパネル１１１に差し込まれてあってもよい。こうした構造をとることによって、更に強固に接続具本体１２１を一方のパネル１１１に固着することができる。なお、内側片１２５は、接着剤で一方のパネル１１１に固着されてあってもよい。
【００３４】
底片１２６は、内側片１２５の表方向の先端から右方向（外方向）へ延設されている。底片１２６は、平面視略矩形状であって、一方のパネル１１１の裏面１１３及び表面１１５と平行になるように構成されている。こうした構造をとることによって、底片１２６は、パネル１１０（１１１、１１２）間の隙間を埋めることができる。
【００３５】
底片１２６は、一方のパネル１１１及び他方のパネル１１２の厚さ範囲内に位置している。このような構造をとることによって、天井を下から見た場合、底片１２６がパネル表面１１５、１１６から突出せず、更に、パネル裏面１１３、１１４よりも表方向の位置に配置されるので、隣接するパネル１１０（１１１、１１２）間の隙間が目立たなくなり、外観を向上することができる。
【００３６】
本実施の形態では、パネル１１０（１１１、１１２）の厚さ範囲とは、パネル１１０（１１１、１１２）の裏面１１３、１１４から表面１１５、１１６までの範囲を示す。
【００３７】
外側片１２７は、隣接される他方のパネル１１２の側面に沿うように、底片１２６の先端から裏方向へと延設されている。
【００３８】
この外側片１２７の裏方向端部が他方のパネル１１２の裏面よりも裏方向に延設されており、この延設部分に、後述する係止部材１４０の係止部１４１を係止するための係止受け部１２３が形成されている。そのため、外側片１２７の高さは、取り付け片部１２４の高さよりも裏方向になるように位置している。なお、外側片１２７の裏方向端部は、後述する挿入孔１２８が形成される程度に、他方のパネル１１２の裏面よりも裏方向に延設されてあればよい。
【００３９】
係止受け部１２３は、係止部１４１が挿入される略矩形状の挿入孔１２８である。挿入孔１２８は、略矩形状に形成されてあって、前後方向に沿って間隔をあけて複数形成されている。なお、本実施の形態では、挿入孔１２８が複数形成されているが、挿入孔１２８は、１つでも、複数でもよく、特に限定されることはないが、対応する係止部１４１とともに数が多ければ多いほど隣接するパネル１１０（１１１、１１２）間の撓みを更に防止できる。
【００４０】
また、外側片１２７は、外側片１２７の裏方向端部から外方向へと折り曲げて延設されたカバー片１２９を形成している。
【００４１】
カバー片１２９は、平面視矩形状であって、他方のパネル１１２の裏面と平行になるように、外側片１２７の裏方向端部から外方向へ延設している。
【００４２】
隙間形成片部１２２は、パネル１１０（１１１、１１２）の前後方向の長さと略同じ長さになるように形成されている。一方で、取り付け片部１２４、カバー片１２９の前後方向の長さは、パネル１１０（１１１、１１２）の前後方向の長さよりも少し短くなるように形成されている。こうした構造をとることによって、パネル１１０（１１１、１１２）間の隙間をすべて埋めることができるとともに、パネル１１０の一方の対向する側端部は、野縁（図１に示す１０１）にビス留めすることができる。
【００４３】
なお、カバー片１２９は、あってもなくてもよいが、カバー片１２９が形成されていることによって、更に安定して隣接するパネル１１０同士を接続することができる。
【００４４】
また、パネル１１０の一方の対向する側端部に形成された隙間形成片部１２２の裏方向の先端部の位置は、パネル１１０（１１１、１１２）の裏面１１３、１１４の位置と略同じ位置か、低い位置に形成されていることが好ましい。
【００４５】
係止部材１４０は、平面視矩形状の板状であって、固定片部１４２と、係止部１４１とを備え、前後方向に複数個並設されている。係止部材１４０の材質は、不燃材料である金属で形成されてあってもよいし、セラミック、合成樹脂であってもよく、特に限定されることはないが、接続具本体１２１の材質と同じである方が好ましい。
【００４６】
固定片部１４２は、他方のパネル１１２の一方のパネル側１１１の側端部１１７の裏面１１４に接着剤などで固着されている。なお、固定片部１４２は、ネジを挿入するネジ孔が形成されてあって、ネジで他方のパネル１１２の裏面１１４に固着されてあってもよい。
【００４７】
係止部１４１は、固定片部１４２の一方のパネル１１１側の先端が、他方のパネル１１２の側面よりも外方向へ突出するように延設されている。係止部１４１は、平面視矩形状であってもよいし、平面視三角形状のように先端が尖っていてもよく、特に限定されることはない。
【００４８】
図３に示すように、係止部１４１は、係止部材１４０が固着された他方のパネル１１２が、一方のパネル１１１に固着された接続具本体１２１の外側片１２７に当接した際に、係止受け部１２３の挿入孔１２８に挿入されて係合される。
【００４９】
この際、挿入孔１２８の周縁に接着剤が塗布されてあってもよく、特に限定されることはないが、接着剤を塗布することによって、更に強固に接続具本体１２１と係止部材１４０を連結することができる。
【００５０】
こうした構造をとることによって、他方のパネル１１２は、横からスライドさせるだけで、一方のパネル１１１と連結し、更に、一方のパネル１１１と他方のパネル１１２との間隔を一定にすることができる。また、一方のパネル１１１と他方のパネル１１２間が接続具本体１２１で目地止めされているので、一方のパネル１１１と他方のパネル１１２との隙間が目立たず、表方向からパネル表面を見た際の外観を損なわない。
【００５１】
また、固定片部１４２の裏方向の面に接着剤が塗布されて、カバー片１２９と固定片部１４２が固着されてあってもよい。こうした構造をとることによって、接続具本体１２１と係止部材１４０を更に強固に連結することができる。
【００５２】
また、本実施の形態では、係止部材１４０は、前後方向に複数個並設されているが、固定片部１４２が共通に形成されて係止部１４１のみ複数個ある１つの部材で形成されたものであっても良い。この際、予め挿入孔１２８の間隔と同じ間隔で係止部１４１を形成していれば、挿入孔１２８と係止部１４１との位置合わせが容易となる。
（パネル接続構造）
図４は、実施の形態１に係るパネル接続具１２０を用いてパネル１１０を接続し、かつ、躯体下地に取り付けた状態を示す説明図である。
【００５３】
図４に示すように、パネル１１０は、別途の固定具（不図示）によって、躯体下地に取り付けられている。パネル１１０の裏面において、パネル１１０の一方の対向する２つの
側端部は、野縁１０１にビス留めすることで躯体下地に取り付けられて設置され、パネル１１０の他方の対向する２つの側端部１１７、１１８は、パネル接続具１２０と係止部材１４０によって、隣接するパネル１１０と接続されている。
【００５４】
接続具本体１２１が一方のパネル１１１の側端部１１７に取り付けられ、係止部材１４０が他方のパネル１１２の側端部１１８に取り付けられて、係止部１４１と係止受け部（図２に示す１２３）とが係合されている。
【００５５】
こうした構造をとることによって、他方のパネル１１２は、一方のパネル１１１の側端部１１７に向かって、横からスライドされるだけで一方のパネル１１１と連結し、更に、一方のパネル１１１と他方のパネル１１２との間隔を一定にすることができる。また、隙間が接続具本体１２１で目地止めされているので、一方のパネル１１１と他方のパネル１１２との隙間が目立たないので、パネル表面を見た際の外観を損なわない。
（実施の形態２）
次に、実施の形態２に係るパネル接続具１２０について説明する。
【００５６】
実施の形態２の基本的な構成は、実施の形態１と略同じである。よって、同一箇所には同一符号を付して説明を省略し、異なる箇所のみの説明を行う。これ以降の実施の形態も同様とする。
【００５７】
図５は、実施の形態２に係るパネル接続具１２０の分解斜視図である。図６は、実施の形態２に係るパネル接続具１２０を側面から見た説明図である。
【００５８】
図５に示すように、外側片１２７は、外側片１２７の裏方向から外方向へと折り曲げて延設された係止受け片１３０を形成している。
【００５９】
係止受け片１３０は、平面視略矩形状で、他方のパネル１１２と外側片１２７が当接した際に、他方のパネル１１２の側端部の裏面に沿うように構成されている。係止受け片１３０は、他方のパネル１１２が外側片１２７に当接した際に、他方のパネル１１２の裏面１１４よりも高い位置で、かつ、後述する係止部１４１の位置よりも低い位置に配置されることが好ましい。そのため、係止受け片１３０と他方のパネル１１２の裏面１１４との間には、隙間（不図示）が形成されていることが好ましい。
【００６０】
外側片１２７の裏方向は、更に、裏方向へと延出するストッパー片１３２が形成されている。ストッパー片１３２は、平面視略矩形状で、他方のパネル１１２の側面部と平行になるように形成されている。
【００６１】
係止部材１４０は、側面視略Ｚ字状に形成されてあって、固定片部１４２と、折り曲げ段部１４３と、係止部１４１と、を備えている。
【００６２】
固定片部１４２は、平面視略矩形状で、他方のパネル１１２の側端部の裏面に固着されている。固定片部１４２は、接着剤で他方のパネル１１２の裏面に固着されてあってもよいし、固定片部１４２に複数のネジ孔が形成されてあって、複数のネジで他方のパネル１１２の裏面に固着されてあってもよく、固定片部１４２の固着方法は、特に限定されることはない。
【００６３】
折り曲げ段部１４３は、固定片部１４２の一方のパネル１１１側の先端から、他方のパネル１１２の裏面１１４に対して裏方向へ延設されている。折り曲げ段部１４３が形成されていることによって、係止部１４１と、他方のパネル１１２の裏面１１４との間に間隙１３１が形成されている。
【００６４】
係止部１４１は、平面視略矩形状で、折り曲げ段部１４３の裏方向端部から一方のパネル１１１側に延設されている。係止部１４１の一方のパネル１１１側の先端は、他方のパネル１１２の側端部１１８から突出していない方が好ましい。
【００６５】
ストッパー片１３２、係止部材１４０の前後方向の長さは、パネル１１０（１１１、１１２）の前後方向の長さよりも少し短くなるように形成されている。
【００６６】
こうした構造をとることによって、パネル１１０の一方の対向する側端部は、野縁（図１に示す１０１）にビス留めすることができる。なお、ストッパー１３２の前後方向の長さは、取り付け片部１２４、係止部材１４０の前後方向の長さと略同じに形成されていることが好ましい。
【００６７】
図５に示すように、係止部１４１の表方向の面は、他方のパネル１１２が外側片１２７に当接した際に、接続具本体１２１の係止受け片１３０が間隙１３１に挿入されて、係止受け片１３０を係止する。
【００６８】
こうした構造をとることによって、他方のパネル１１２は、横からスライドさせるだけで一方のパネル１１１と連結し、更に、一方のパネル１１１と他方のパネル１１２との間隔を一定にすることができる。また、一方のパネル１１１と他方のパネル１１２間が接続具本体１２１で目地止めされているので、一方のパネル１１１と他方のパネル１１２との隙間が目立たないので、表方向から天井面を見た際の外観を損なわない。
【００６９】
図６に示すように、係止部１４１は、係止受け片１３０が係止部１４１に係止された際に、係止部１４１の一方のパネル１１１側の先端がストッパー片１３２に当接する。
【００７０】
こうした構造をとることによって、パネル１１０の側端部と、接続具本体１２１の外側片１２７が当接して生じる応力が、係止部１４１の一方のパネル１１１側の先端とストッパー片１３２との当接部分に分散されるので、パネル１１０が石膏などの柔らかい材質で形成されてあっても、パネル１１０の側端部１１７、１１８が脆くなってくずれることを抑制することができる。
【００７１】
なお、ストッパー片１３２は、あってもなくてもよい。
【００７２】
なお、先述したパネル連結構造に、実施の形態２のパネル接続具１２０を実施してもよい。
【００７３】
なお、本実施の形態１、２では、ともにパネルを天井材としているが、これに限らず、壁材として使用する場合でも本発明のパネル接続具を適用できる。
【符号の説明】
【００７４】
１１０    パネル
１１１    一方のパネル
１１２    他方のパネル
１１３    裏面
１１７    側端部
１１８    側端部
１２０    パネル接続具
１２１    接続具本体
１２２    隙間形成片部
１２３    係止受け部
１４０    係止部材
１４１    係止部
【図１】
2020180439.tif 000003
【図２】
2020180439.tif 000004
【図３】
2020180439.tif 000005
【図４】
2020180439.tif 000006
【図５】
2020180439.tif 000007
【図６】
2020180439.tif 000008